(57)【要約】【課題】  画像形成装置から送出される最終用紙の整列性、及び用紙振分けを行うオフセット切替え動作実行前における画像形成装置から送出される最終用紙の整列性が悪い場合があるという問題があった。【解決手段】  画像形成装置から送出される最終用紙に対する用紙揃えの停止動作時間を、揃え動作時の用紙の跳ね返りがないよう最終用紙以外の用紙の停止時間よりも長くして用紙が静停するのに十分な時間ジョガーで積載用紙の用紙端を押さえ、オフセット切替え動作実行前における最終用紙に対する用紙揃えの停止動作時間を、揃え動作時の用紙の跳ね返りがないよう最終用紙以外の用紙の停止時間よりも長くして用紙が静停するのに十分な時間ジョガーで積載用紙の用紙端を押さえる。【選択図】図９
2005206335.tif 000002
【特許請求の範囲】
【請求項１】
プリンタなどの画像形成装置から送られてくる用紙を用紙進行方向に送出する排紙ローラと、前記用紙を用紙積載位置に積み重ねて収容する用紙積載テーブルと、用紙進行方向及び用紙進行方向の垂直方向に対して、前記用紙を整列させるために往復摺動する整列部材と、前記整列部材による用紙揃え動作において、前記整列部材が前記積載用紙の用紙端に移動し、前記画像形成装置から送出される前記積載用紙の用紙端にて規定時間停止し、その後前記整列部材を前記積載用紙の用紙端から退避させる制御手段を有する用紙取扱装置であって、前記画像形成装置から送出される最終用紙に対し、用紙整列時の用紙の跳ね返りがないよう前記最終用紙以外の用紙の停止時間よりも長くし、前記用紙が静停するのに十分な時間前記整列部材で前記積載用紙の用紙端を押さえることを特徴とした用紙取扱装置。
【請求項２】
前記画像形成装置から送出される用紙を振分けるオフセット切替え動作において、オフセット切替え動作実行前の最終用紙に対し、用紙整列時の用紙の跳ね返りがないよう前記最終用紙以外の用紙の停止時間よりも長くし、前記用紙が静停するのに十分な時間前記整列部材で前記積載用紙の用紙端を押さえることを特徴とした請求項１に記載の用紙取扱装置。
【発明の詳細な説明】
【技術分野】
【０００１】
本発明は、複写機、レーザビームプリンタ等の画像形成装置の後段に接続される用紙取扱装置に関するものである。
【背景技術】
【０００２】
図１に、画像形成装置３と、画像形成装置３に隣接配置された用紙取扱装置２を示す。以下の説明では、図１の手前側をオペレータ側、奥行側を反オペレータ側、左側を用紙進行方向側、そして、右側を反用紙進行方向側と称する。図２は図１のＡ−Ａ’線における概略断面図である。図３は図１のＢ−Ｂ’線における概略断面図である。
【０００３】
画像形成装置３は、トナー等を用い、用紙に所定の画像を形成するための装置である。画像形成装置３は、排出口を介して用紙取扱装置２に用紙を送出する。画像形成装置３の排出口近傍には、図示せぬ排紙センサが取りつけられている。排紙センサは、用紙取扱装置２に排紙される用紙を検出し、制御部１４に用紙が排出されることを通知し、制御部１４は用紙の位置を把握する。
【０００４】
用紙取扱装置２は、画像形成装置３が印刷した用紙を受取り、内部に積載するためのユニットである。用紙取扱装置２は、用紙を積載する用紙積載テーブル５、用紙積載テーブル上の用紙を揃えて整列する用紙整列ユニット４、画像形成装置３から受取った用紙を用紙積載テーブル上へ搬送する用紙搬送ローラ７、及び用紙の反用紙進行方向側端部位置を固定する用紙後端ストッパ６を有する。本体部の上面には、リアジョガー駆動部１０、フロントジョガー駆動部８、及び先端ストッパ駆動部１２が配置されている。本体部の下方には、リアジョガー駆動部１０に接続されたリアジョガー１１、フロントジョガー駆動部８に接続されたフロントジョガー９、及び、先端ストッパ駆動部１２に接続された先端ストッパ１３が配置されている。各駆動部は制御部１４によって制御される。
【０００５】
次に、用紙取扱装置２の揃え動作を説明する。まず、図４を用いて用紙１をオペレータ側に揃えるオペレータ側オフセットを説明する。図４は図１のＢ−Ｂ’線における概略断面図である。リアジョガー１１は、積載用紙１の反オペレータ側の用紙端に接する位置まで移動し停止する。以後、リアジョガー１１は用紙１をオペレータ側に揃えている間は固定されており移動しない。フロントジョガー９はオペレータ側の積載用紙１の用紙端より更にオペレータ側へ規定量離れた待機位置に移動する。用紙後端が用紙後端ストッパ６上を通過すると、フロントジョガー９は待機位置から積載用紙１のオペレータ側の用紙端まで移動する。次に、フロントジョガー９はオペレータ側の積載用紙１の用紙端にて規定時間停止する。以下この時間を停止動作時間と称する。停止動作時間経過後は、フロントジョガー９はオペレータ側の積載用紙１の用紙端から待機位置へ退避する。
【０００６】
同様に図５を用いて用紙を反オペレータ側に揃える反オペレータ側オフセットを説明する。図５は図１のＢ−Ｂ’線における概略断面図である。フロントジョガー９は、オペレータ側の積載用紙１の用紙端に接する位置まで移動し停止する。以後、フロントジョガー９は用紙を反オペレータ側に揃えている間は固定されており移動しない。リアジョガー１１は反オペレータ側の積載用紙１の用紙端より更に反オペレータ側へ規定量離れた待機位置に移動する。用紙後端が用紙後端ストッパ６上を通過すると、リアジョガー１１は待機位置から反オペレータ側の積載用紙１の用紙端まで移動する。次に、リアジョガー１１は反オペレータ側の積載用紙１の用紙端にて規定時間停止する。停止動作時間経過後は、リアジョガー１１は反オペレータ側の積載用紙１の用紙端から待機位置へ退避する。
【０００７】
図６に、オペレータ側オフセット、または反オペレータ側オフセットにおける揃え動作のタイミングチャートを示す。図６−（１）は用紙後端ストッパ６上を通過する用紙１のタイミングを示しており、縦軸に用紙後端ストッパ６上の用紙の有無、横軸に時間の経過を示している。図６−（２）は図６−（１）の用紙のタイミングに同期した、ジョガーの動作タイミングを示しており、縦軸がフロントジョガー９またはリアジョガー１１の位置であり、横軸が時間を示している。
【０００８】
図６に示すように、従来は、画像形成装置３から送出される最終用紙の停止動作時間Ｔ１と最終用紙以外の用紙の停止動作時間Ｔ２が同じであった（Ｔ１＝Ｔ２）。
【０００９】
また、用紙取扱装置２は画像形成装置３から送出される用紙に対して、オペレータ側オフセットと反オペレータ側オフセットを切替えるオフセット切替え動作を行うことで、用紙振分けを行っている。
【００１０】
図７に、オフセット切替えにおける揃え動作のタイミングチャートを示す。図７−（１）は用紙後端ストッパ６上を通過する用紙１のタイミングを示しており、縦軸に用紙後端ストッパ６上の用紙の有無、横軸に時間の経過を示している。図７−（２）は図７−（１）の用紙のタイミングに同期した、ジョガーの動作タイミングを示しており、縦軸がフロントジョガー９及びリアジョガー１１の位置であり、横軸が時間を示している。
【００１１】
図７に示すように、オフセット切替え動作実行前の画像形成装置３から送出される最終用紙の停止動作時間Ｔ３と最終用紙以外の用紙の停止動作時間Ｔ２が同じであった（Ｔ３＝Ｔ２）。ここで、オフセット切替え動作実行時は図７のように、フロントジョガー９及びリアジョガー１１の位置変更が完了するまで画像形成装置３は用紙を送出しない。
【００１２】
【特許文献１】特開平１１−１３８９６６号公報
【００１３】
【特許文献２】特開２００３−１１８９１７号公報
【発明の開示】
【発明が解決しようとする課題】
【００１４】
従来の画像形成装置３において、連量が大きく、表面の摩擦係数も小さいなどの用紙は、停止動作時間の長さが、用紙が静停するのに十分でない場合があり、オペレータ側オフセットの場合は、オペレータ側に用紙が跳ね返ることや、反オペレータ側オフセットの場合は、反オペレータ側に用紙が跳ね返ることがある。跳ね返りを防ぐために停止動作時間を長くすると、オペレータ側オフセットの場合にはフロントジョガー９に後続用紙が接触することがある。また、反オペレータ側オフセットの場合にはリアジョガー１１に後続用紙が接触することがある。これを、図８を用いて説明する。図８は、揃え動作において、フロントジョガー９またはリアジョガー１１の位置と用紙位置との関連を示すタイミングチャートである。図８−（１）は用紙後端ストッパ６上を通過する用紙１のタイミングを示しており、縦軸に用紙後端ストッパ６上の用紙の有無、横軸に時間の経過を示している。図８−（２）は図８−（１）の用紙のタイミングに同期したジョガーの動作タイミングを示しており、縦軸がフロントジョガー９の位置、横軸が時間を示している。Ｔｂは、フロントジョガー９またはリアジョガー１１が待機位置に退避しきったときに、後続用紙がフロントジョガー９先端またはリアジョガー１１先端に到達するように設定した停止動作時間である。停止動作時間がＴｂより短い場合（Ｔａ）は、フロントジョガー９が待機位置に退避しきった後に、後続用紙がフロントジョガー９先端に到達するため、後続用紙とフロントジョガー９が接触することはない。しかし、停止動作時間がＴｂより長い場合（Ｔｃ）は、フロントジョガー９が待機位置に退避しきる前に後続用紙がフロントジョガー９先端に到達し、後続用紙と接触することがある。そこで、用紙ジャムになる場合があるため、停止動作時間をＴｂよりも長くすることができなかった。反オペレータ側オフセットの場合も、上記と同じ理由により後続用紙がリアジョガー１１と後続用紙が接触し、用紙ジャムになる場合があるため、停止動作時間をＴｂより長くすることができなかった。しかし、停止動作時間の長さが十分でない場合でも、最終用紙以外は、画像形成装置３から送出される後続用紙の揃え動作によって２回以上の揃え動作が行われるため、良好な用紙整理積載ができていた。
【００１５】
一方、最終用紙の揃え動作は１回であり、さらに、停止動作時間の長さが十分でない場合があるため、最終用紙の整列性が悪い場合があった。そのため、装置操作者が積載用紙１を取り出しにくい状況が発生したり、積載用紙１を製本する場合に装置操作者の手間がかかる状況が発生していた。
【００１６】
また、オフセット切替え動作実行前において、画像形成装置３から送出される最終用紙に対しても同様の問題があった。
【００１７】
本発明は、連量が大きく、表面の摩擦係数も小さいなどの用紙においても、画像形成装置から送出される最終用紙に対して良好な用紙整理積載を可能とし、また、オフセット切替え動作実行前において、画像形成装置から送出される最終用紙に対して良好な用紙整理積載が可能な画像形成装置を提供し、装置操作者にかかる負担を低減させることを目的とする。
【課題を解決するための手段】
【００１８】
上記目的は、画像形成装置から送出される最終用紙に対する用紙揃えの停止動作時間を、揃え動作時の用紙の跳ね返りがないよう最終用紙以外の用紙の停止時間よりも長くして用紙が静停するのに十分な時間ジョガーで積載用紙の用紙端を押さえ、オフセット切替え動作実行前における最終用紙に対する用紙揃えの停止動作時間を、揃え動作時の用紙の跳ね返りがないよう最終用紙以外の用紙の停止時間Ｔ２よりも長くして用紙が静停するのに十分な時間ジョガーで積載用紙の用紙端を押さえることによって達成される。
【発明の効果】
【００１９】
本発明によれば、連量が大きく、表面の摩擦係数も小さいなどの用紙に対して、画像形成装置から送出される最終用紙の整列性が悪い場合や、オフセット切替え動作実行前において、画像形成装置３から送出される最終用紙の整列性が悪い場合でも良好な用紙整理積載が可能となり、装置操作者にかかる負担を低減することが可能となる。
【発明を実施するための最良の形態】
【００２０】
連量が大きく、表面の摩擦係数も小さいなどの用紙においても、画像形成装置から送出される最終用紙に対して良好な用紙整理積載が可能な画像形成装置を提供することと、オフセット切替え動作実行前において、画像形成装置から送出される最終用紙に対して良好な用紙整理積載が可能な画像形成装置を提供するという目的を、新たに部材を追加することなく従来と同様の構成で実現した。
【実施例１】
【００２１】
図９に、オペレータ側オフセット、または反オペレータ側オフセットにおける揃え動作のタイミングチャートを示す。図９−（１）は用紙後端ストッパ６上を通過する用紙１のタイミングを示しており、縦軸に用紙後端ストッパ６上の用紙の有無、横軸に時間の経過を示している。図９−（２）は図９−（１）の用紙のタイミングに同期したジョガーの動作タイミングを示しており、縦軸がフロントジョガー９またはリアジョガー１１の位置であり、横軸が時間を示している。
【００２２】
図９に示すように、画像形成装置３から送出される最終用紙に対する用紙揃えの停止動作時間Ｔ１を、最終用紙以外の停止動作時間Ｔ２よりも長くし、用紙が静停するのに十分な時間に設定する（Ｔ１＞Ｔ２）。
【００２３】
本実施例によれば、画像形成装置３から送出される最終用紙に対する用紙揃えの停止動作時間を、最終用紙以外の用紙の停止動作時間よりも長くし、用紙が静停するのに十分な時間ジョガーで積載用紙１の用紙端を押さえているため、揃え動作時の用紙の跳ね返りがなく、良好な用紙整理積載が可能となる。
【実施例２】
【００２４】
図１０に、オフセット切替え動作における動作のタイミングチャートを示す。図１０−（１）は用紙後端ストッパ６上を通過する用紙１のタイミングを示しており、縦軸に用紙後端ストッパ６上の用紙の有無、横軸に時間の経過を示している。図１０−（２）は図１０−（１）の用紙のタイミングに同期したジョガーの動作タイミングを示しており、縦軸がフロントジョガー９またはリアジョガー１１の位置であり、横軸が時間を示している。
【００２５】
図１０に示すように、 オフセット切替え動作実行前における、最終用紙に対する用紙揃えの停止動作時間Ｔ３を、最終用紙以外の用紙の停止動作時間Ｔ２よりも長くし、用紙が静停するのに十分な時間に設定する（Ｔ３＞Ｔ２）。ここで、オフセット切替え動作実行時は図１０にあるように、フロントジョガー９及びリアジョガー１１の位置変更が完了するまで画像形成装置３は用紙を送出しない。
【００２６】
本実施例によれば、画像形成装置３から送出される最終用紙に対する用紙揃えの停止動作時間を、オフセット切替え動作実行前における最終用紙以外の用紙の停止動作時間よりも長くし、用紙が静停するのに十分な時間ジョガーで積載用紙１の用紙端を押さえているため、揃え動作時の用紙の跳ね返りがなく、良好な用紙整理積載が可能となる。
【産業上の利用可能性】
【００２７】
連量が大きく、表面の摩擦係数も小さいなどの用紙においても、製本などの後処理のために用紙を不揃いなく整列させる必要のある装置に対して適用できる。
【図面の簡単な説明】
【００２８】
【図１】本発明に係る用紙取扱装置を備えた印刷システムを示した斜視図である。
【図２】図１のＡ−Ａ’線における概略断面図である。
【図３】図１のＢ−Ｂ’線における概略断面図である。
【図４】オペレータ側に用紙を揃えるオペレータ側オフセットの動作説明図である。
【図５】反オペレータ側に用紙を揃える反オペレータ側オフセットの動作説明図である。
【図６】従来のオペレータ側オフセット、または反オペレータ側オフセットの動作を説明するタイミングチャートである。
【図７】従来の用紙振分けを行うオフセット切替え動作を説明するタイミングチャートである。
【図８】ジョガー位置と用紙位置との関連を示すタイミングチャートである。
【図９】本発明のオペレータ側オフセット、または反オペレータ側オフセットの動作を説明するタイミングチャートである。（実施例１）
【図１０】本発明の用紙振分けを行うオフセット切替えの動作を説明するタイミングチャートである。（実施例２）
【符号の説明】
【００２９】
１は用紙、２は用紙取扱装置、３は画像形成装置、４は用紙整列ユニット、５は用紙積載テーブル、６は用紙後端ストッパ、７は用紙搬送ローラ、８はフロントジョガー駆動部、９はフロントジョガー、１０はリアジョガー駆動部、１１はリアジョガー、１２は用紙先端ストッパ駆動部、１３は用紙先端ストッパ、１４は制御部である。
【図１】
2005206335.tif 000003
【図２】
2005206335.tif 000004
【図３】
2005206335.tif 000005
【図４】
2005206335.tif 000006
【図５】
2005206335.tif 000007
【図６】
2005206335.tif 000008
【図７】
2005206335.tif 000009
【図８】
2005206335.tif 000010
【図９】
2005206335.tif 000011
【図１０】
2005206335.tif 000012